(57)【要約】【課題】携帯電話機などの移動通信機器や携帯ゲーム機、手帳サイズの個人用情報機器（ＰＤＡ）、ノート型パソコン、モバイル機器などの移動機器において、使用する人の存在を、機器のエネルギーを使用せずに再帰性反射材を用い、光を発して自動車などで移動する他者に認識させるようにし、省エネルギーならびにデザインの観点からも優れた移動機器を提供する。【解決手段】折り畳み型携帯電話機２に再帰性反射材１が取り付けられ、この再帰性反射材１の取り付け位置が折り畳み型携帯電話機２の受話側本体３の背面の両側部および中央部である。【選択図】        図１
2005010232.tif 000002
【特許請求の範囲】
【請求項１】
再帰性反射部が設けられていることを特徴とする携帯電話機などの移動機器。
【請求項２】
再帰性反射部の配設位置が側面、正面、背面の少なくとも何れかであることを特徴とする請求項１記載の携帯電話機などの移動機器。
【請求項３】
再帰性反射部は再帰性反射材を貼着することにより形成されていることを特徴とする請求項１または２記載の携帯電話機などの移動機器。
【請求項４】
再帰性反射部はモールドにより形成されていることを特徴とする請求項１または２記載の携帯電話機などの移動機器。
【請求項５】
再帰性反射部はプリントにより形成されていることを特徴とする請求項１または２記載の携帯電話機などの移動機器。
【発明の詳細な説明】
【０００１】
【発明の属する技術分野】
本発明は、夜間に光源のない場所で使用される頻度の高い携帯電話機などの移動通信機器や携帯ゲーム機、手帳サイズの個人用情報機器（ＰＤＡ）、ノート型パソコン、モバイル機器などの移動機器に関し、使用する人の存在を、光を発して自動車などで移動する他者に認識させるようにしたものである。
【０００２】
【従来の技術】
従来から交通標識などの表示用として、特に夜間の視認性を高めるため、例えば特許文献１に開示されているように透明なガラス微小球を表面に単層に付設した再帰性反射材が広く使用されている。一方近年、携帯電話機の急速な普及は目覚しいものがあり、固定式の従来の電話機の台数を凌駕している。
【０００３】
再帰性反射材は、警察関係者、消防関係者、土建工事関係者など、夜間に作業する人の安全確保の点から、安全服、保安ベスト、たすき、腕章などの安全衣類に使用されてきた。さらに、一般的な安全意識の高揚から、夜間の歩行者、ジョッガー、老人、子供、障害者に対する交通事故などの防止対策として、ウインドブレーカー、トレーニングウエアー、Ｔシャツ、スポーツシューズ、水着などのスポーツアパレル、さらにはバッグやスーツケースなどに対する装飾用を兼ねた用途にも幅広く使用されてきた。しかるに、携帯電話機の視認性の確保という商品は開発されていない。
【０００４】
【特許文献１】
特開平９−３０４６１０号公報
【０００５】
【発明が解決しようとする課題】
本発明はこのような課題を解決するもので、携帯電話機などの移動通信機器や携帯ゲーム機、手帳サイズの個人用情報機器（ＰＤＡ）、ノート型パソコン、モバイル機器などの移動機器において、使用する人の存在を、機器のエネルギーを使用せずに再帰性反射材を用い、光を発して自動車などで移動する他者に認識させるようにし、省エネルギーならびにデザインの観点からも優れた移動機器を提供することを目的とするものである。
【０００６】
【課題を解決するための手段】
この課題を解決するために本発明は、再帰性反射部が設けられていることを要旨とするものである。また本発明は、再帰性反射部の配設位置が側面、正面、背面の少なくとも何れかであることを要旨とするものである。また本発明は、再帰性反射部は再帰性反射材を貼着することにより形成されていることを要旨とするものである。また本発明は、再帰性反射部はモールドにより形成されていることを要旨とするものである。さらに本発明は、再帰性反射部はプリントにより形成されていることを要旨とするものである。
【０００７】
この構成により、夜間に光源のない場所で使用される頻度の高い携帯電話機などの移動通信機器や携帯ゲーム機、手帳サイズの個人用情報機器（ＰＤＡ）、ノート型パソコン、モバイル機器などの移動機器に再帰性反射部を設けることにより、移動機器を光源のない夜間の暗闇で使用した際、往来する自動車のヘッドラットから発せられる光を再帰性反射部により再帰反射し、使用する人の存在を知らせて安全を確保できる。また、機器のエネルギーを使用せずに再帰性反射部を用い、光を発して自動車などで移動する他者に認識させるようにしているので、省エネルギーならびにデザインの観点からも優れた移動機器を提供することができる。
【０００８】
【発明の実施の形態】
以下、本発明の実施の形態について、図面に基づいて説明する。
先ず、図１に示す第１の実施の形態について説明すると、１は折り畳み型携帯電話機２の受話側本体３の背面（折り畳み時における正面）の両側部およびこの両側部に繋がる上端部（折り畳み時における下端部）および背面の中央部に貼着される再帰性反射材で、この再帰性反射材１は帯状に細長くカットされて折り畳み型携帯電話機２の受話側本体３の背面に貼着されている。詳しくは、前記再帰性反射材１は幅０．５ｍｍ以上、面積１００ｍｍ２以上で携帯電話機２の受話側本体３の背面に貼着されている。さらに詳しくは、携帯電話機２の受話側本体３の背面における両側部および上端部に幅１ｍｍ、長さ３５ｍｍの再帰性反射材１を貼着し、中央部には幅１ｍｍ、長さ３０ｍｍのストライプ状の再帰性反射材１を貼着している。また、折り畳み型携帯電話機２の受話側本体３の背面に対する再帰性反射材１の貼着位置は両側部および両側部に繋がる上端部および中央部の４箇所であり、夜間において移動する自動車からの光源から発する光を反射して４方向からの視認性が得られるが、再帰性反射材１の貼着位置は少なくとも１箇所でも良い。
【０００９】
次に、図２に示す第２の実施の形態について説明すると、この実施の形態では折り畳み型携帯電話機２の受話側本体３の両側面に第１の実施の形態で用いたものと同じ幅１ｍｍ、長さ３５ｍｍの再帰性反射材１を貼着している。
【００１０】
さらに、図３に示す第３の実施の形態について説明すると、この実施の形態では携帯ゲーム機４のディスプレー側本体５の両側面に第１の実施の形態で用いたものと同じ幅２ｍｍ、長さ３５ｍｍの再帰性反射材１を貼着している。
【００１１】
ところで、上記再帰性反射材１とはオープンタイプの再帰性反射材や、クローズドタイプの再帰性反射材をいう。そしてこの再帰性反射材１を単体で使用しても良く、あるいは反射面に光干渉フィルムを接合してなる再帰性反射材を使用しても良い。
【００１２】
また、本発明における移動機器とは、上記のような折り畳み型携帯電話機２や携帯ゲーム機の他、折り畳み不可能な縦長の携帯電話機などの移動通信機器や手帳サイズの個人用情報機器（ＰＤＡ）、ノート型パソコン、モバイル機器などであって、再帰性反射材の貼着箇所は移動機器の種類や形態によって異なり、使用時において最も反射効果の高い位置を選択すれば良い。
【００１３】
さらに、上記の各実施の形態における再帰性反射部は再帰性反射材１を貼着により形成しているが、モールドもしくはプリントにより移動機器の本体と一体に形成するようにしても良い。
【００１４】
なお、前記再帰性反射材１には直径が１０μｍ程度の透明なガラス微小球（ビーズ）が使用されて、反射する光を発するようになっているが、プリズムレンズ型の再帰性反射材１を使用するようにしても良い。また、再帰性反射部をモールドにより形成する場合は、直径が５ｍｍ程度のガラス球を使用することも可能である。
【００１５】
【発明の効果】
以上のように本発明によれば、夜間に光源のない場所で使用される頻度の高い携帯電話機などの移動通信機器や携帯ゲーム機、手帳サイズの個人用情報機器（ＰＤＡ）、ノート型パソコン、モバイル機器などの移動機器に再帰性反射部を設けることにより、移動機器を光源のない夜間の暗闇で使用した際、往来する自動車のヘッドラットから発せられる光を再帰性反射部により再帰反射し、使用する人の存在を知らせて安全を確保できる。また、機器のエネルギーを使用せずに再帰性反射部を用い、光を発して自動車などで移動する他者に認識させるようにしているので、省エネルギーならびにデザインの観点からも優れた移動機器を提供することができる。
【図面の簡単な説明】
【図１】本発明の第１の実施の形態における移動機器である携帯電話機に再帰性反射材を取り付けた状態を示す斜視図である。
【図２】本発明の第２の実施の形態における移動機器である携帯電話機に再帰性反射材を取り付けた状態を示す側面図である。
【図３】本発明の第３の実施の形態における移動機器である携帯ゲーム機に再帰性反射材を取り付けた状態を示す斜視図である。
【符号の説明】
１    再帰性反射材
２    折り畳み型携帯電話機
３    受話側本体
４    携帯ゲーム機
５    ディスプレー側本体
【図１】
2005010232.tif 000003
【図２】
2005010232.tif 000004
【図３】
2005010232.tif 000005